(57)【要約】【課題】  換気による室内湿度の低減はもとより、目標湿度まで室内湿度を下げることができるため、夏季などに室内湿度上昇による室内におけるかびの発生を抑止し、洗濯物を効率よく乾燥する効果が得られる換気装置を提供する。【解決手段】  ケーシングと、熱交換素子と、吸気及び排気ファンと、空気流入口及び排出口と、複数のダンパーと、除湿ローターとを備え、室内の空気を除湿した後に再び室内に流入させて室内の湿度を制御する独立除湿モードを実現できるように迂回流路をさらに備える。換気システム及び除湿ローターの機能が独立的あるいは相互的に作動するように構成される。【選択図】      図１
2006112769.tif 000002
【特許請求の範囲】
【請求項１】
ケーシングと、該ケーシングの内部に空気を流入する吸気ファンと、前記ケーシングの外部に空気を排出する排気ファンと、前記ケーシングの内部に備えられる熱交換素子と、前記熱交換素子を中心としてそれぞれ配置される複数枚の遮断板と、前記遮断板によって形成される室内空気流入流路、室内空気排出流路、室外空気流入流路及び室外空気排出流路と、前記ケーシングの内部に流入する空気を除湿する除湿ローターとを備える換気装置であって、
前記室内空気流入流路と前記室外空気流入流路とを連通させる迂回流路を備えることを特徴とする換気装置。
【請求項２】
前記除湿ローターは、前記ケーシングの内部の前記熱交換素子と前記排気ファンとの間の空間に備えられることを特徴とする請求項１に記載の換気装置。
【請求項３】
前記迂回流路が選択的に開閉されるように、この迂回流路の一端にダンパーが備えられることを特徴とする請求項１に記載の換気装置。
【請求項４】
前記迂回流路は、一端が前記室内空気流入流路と連通し、他端は、前記室外空気流入流路において、前記除湿ローターと、前記室外空気流入流路が外部と連通する室外空気流入口との間に備えられることを特徴とする請求項１に記載の換気装置。
【請求項５】
前記除湿ローターは、吸着部と再生部とに分離して備えられ、前記吸着部は、前記室外空気流入流路上に備えられ、前記再生部は、前記室内空気排出流路上に備えられることを特徴とする請求項２に記載の換気装置。
【請求項６】
前記室外空気流入流路と前記室内空気排出流路の端部には、室外と連通する室外空気流入口と室内空気排出口がそれぞれ備えられ、これら室外空気流入口と室内空気排出口には、流路を選択的に開閉するダンパーが備えられることを特徴とする請求項１に記載の換気装置。
【請求項７】
前記除湿ローターは、この除湿ローターを再生するように再生部側に再生ヒーターをさらに備えることを特徴とする請求項５に記載の換気装置。
【請求項８】
前記除湿ローターは、前記室外空気流入流路と前記室内空気排出流路で前記除湿ローターが占める断面の残り部分を遮断しうるように前記ケーシングの幅方向に亘って設置される仕切り板をさらに備えることを特徴とする請求項１に記載の換気装置。
【請求項９】
前記仕切り板は、前記室外空気流入流路と前記室内空気吐出流路上にそれぞれダンパーを備えることを特徴とする請求項８に記載の換気装置。
【発明の詳細な説明】
【技術分野】
【０００１】
本発明は、換気装置に関し、より詳細には、通常の換気除湿モードを遂行する他に、室内空気だけを除湿するために迂回流路を有し、除湿のない換気モードを遂行するために、除湿ローターを迂回する流路構造を有する換気装置に関する。
【背景技術】
【０００２】
一般に、換気装置とは、室内空気と室外空気を入れ換えて、室内空気中の汚染物質と悪臭などを外部へ排出する一方で、室外の新鮮な空気を室内に吸い込む装置のことをいう。ところが、室内と室外間の温度及び湿度差が大きいにもかかわらず、外気をそのまま吸い込むと、室内の快適さを損ねる問題につながるため、従来の換気装置は、外気と室内空気の熱及び湿気を交換する熱交換素子を備えてきた。
【０００３】
また、従来の換気装置は、流路上に除湿ローターを備え、この除湿ローターと熱交換素子を通過しつつ除湿された空気が室内に供給されるようにし、また、室内空気は、熱交換素子と除湿ローターを通過しつつ室外に排気されるように構成される。
【０００４】
ここで、除湿ローターには、ゼオライトやシリカゲルのような吸湿剤を使用するが、この種の吸湿剤は、湿気を吸収しながら発熱し、４℃程度の温度上昇の特性を示す。また、除湿ローターは、継続使用のために再生部を備えるが、この再生部は、再生ヒーターに面して設けられて、吸湿した湿気を乾燥する機能を担う。
【０００５】
この構成から、従来の換気装置では、空気が常に除湿ローターと熱交換素子を通って移動することになる。このため、除湿が不必要な場合にも空気は除湿ローターを通過しなければならず、余分の圧力消耗が起こり、また、吸湿剤によって温度が上昇する問題があった。
【０００６】
しかも、従来の換気装置は、室内空気のみを独立して除湿する機能がないため、適正の除湿量を確保する上で稼動時間及び除湿ローターの容量が増加してしまい、その分、換気装置の大きさ及び設置空間が増大する、という問題点があった。
【０００７】
また、稼動時間の増加によってエネルギー消費と運転費用が増加し、室内の冷暖房負荷が増加し、運転騒音が大きくなる等の問題点があった。
【発明の開示】
【発明が解決しようとする課題】
【０００８】
本発明は、上記事情に鑑みて、ケーシングの一側に迂回流路を設け、室内空気のみを独立して除湿することによって、室内の湿気を效果よく除去することができ、かつ、除湿ローターを迂回する流路構造を備えて、除湿のない換気モードを可能にし、吸／排気ファンのエネルギー消費と騒音を低減しうる換気装置を提供することを目的とする。
【課題を解決するための手段】
【０００９】
上記の目的を達成するために、本発明による換気装置は、ケーシングと、該ケーシングの内部に空気を流入する吸気ファンと、前記ケーシングの外部に空気を排出する排気ファンと、前記ケーシングの内部に備えられる熱交換素子と、前記熱交換素子を中心としてそれぞれ配置される複数枚の遮断板と、前記遮断板によって形成される室内空気流入流路、室内空気排出流路、室外空気流入流路及び室外空気排出流路と、前記ケーシングの内部に流入する空気を除湿する除湿ローターとを備える換気装置であって、前記室内空気流入流路と前記室外空気流入流路とを連通させる迂回流路を備えることを特徴とする。
【００１０】
また、前記除湿ローターは、前記ケーシングの内部の前記熱交換素子と前記排気ファンとの間の空間に備えられることを特徴とする。
【００１１】
また、前記迂回流路が選択的に開閉されるように、この迂回流路の一端にダンパーが備えられる。
【００１２】
また、前記迂回流路は、一端が前記室内空気流入流路と連通し、他端は、前記室外空気流入流路において、前記除湿ローターと、前記室外空気流入流路が外部と連通する室外空気流入口との間に備えられることを特徴とする。
【００１３】
また、前記除湿ローターは、吸着部と再生部とに分離して備えられ、前記吸着部は、前記室外空気流入流路上に備えられ、前記再生部は、前記室内空気排出流路上に備えられることを特徴とする。
【００１４】
また、前記室外空気流入流路と前記室内空気排出流路の端部には、室外と連通する室外空気流入口と室内空気排出口がそれぞれ備えられ、これら室外空気流入口と室内空気排出口には、流路を選択的に開閉するダンパーが備えられることを特徴とする。
【００１５】
また、前記除湿ローターは、この除湿ローターを再生するように再生部側に再生ヒーターをさらに備えることを特徴とする。
【００１６】
また、前記除湿ローターは、前記室外空気流入流路と前記室内空気排出流路で前記除湿ローターが占める断面の残り部分を遮断しうるように前記ケーシングの幅方向に亘って設置される仕切り板をさらに備えることを特徴とする。
【００１７】
また、前記仕切り板は、前記室外空気流入流路と前記室内空気吐出流路上にそれぞれダンパーを備えることを特徴とする。
【発明の効果】
【００１８】
本発明による換気装置は、除湿換気だけでなく、独立除湿も可能であるため、室内の湿度が高いときに効率よく湿度を下げることが可能になる。また、本発明は、換気システム及び除湿ローターの機能を独立的あるいは相互的に構成可能であるため、換気による室内湿度の低減のほかに、目標湿度まで室内湿度を下げることも可能になるため、夏季など室内湿度上昇による室内のかび発生を防止し、洗濯物の室内乾燥効果を改善する効果が得られる。
【００１９】
また、本発明による換気装置は、独立除湿モードにおいて除湿ローターの再生部と吸着部を通る室内空気間に熱交換がなされるようにしたため、室内に流入する空気は冷却されて冷房負荷が減少する一方で、室外に排出される室内空気は加熱されて再生ヒーターの電力消耗が減少する効果が得られる。
【００２０】
また、本発明による換気装置は、除湿のない換気モードでは、ダンパーを用いて大部分の室内空気が除湿ローターの吸着部を迂回する流路構造を備えるため、吸気ファンの消費電力及び騒音を減少させることができ、除湿換気モードまたは除湿のない換気モードでは、排出する室内空気の一部だけを除湿ローターの再生部に通過させるため、排気ファンの消費電力及び騒音を低減させることが可能になる。
【００２１】
また、本発明による換気装置は、除湿ローターが熱交換素子や換気部分と分離されていることからシステムの大きさが大きかった従来の換気装置とは違い、除湿ローターの再生部を排気ファンの設置空間に設置し、室外空気流入口側の流路を除湿ローターの吸着部空間として活用するため、従来の換気装置に比べて大きさが減少する効果が得られる。
【発明を実施するための最良の形態】
【００２２】
以下、本発明の好ましい実施形態について、添付図面を参照しつつ詳細に説明する。
【００２３】
図１は、本発明による換気装置を示す斜視図である。図１に示すように、本発明による換気装置は、直方体形状のケーシング１を備え、このケーシング１の対向する両側面のうち、一側面には室内空気流入口４及び室外空気排出口５が、他側面には室外空気流入口３及び室内空気排出口２が設けられて、室内空気を吸い込んで室外に排出したり、室外空気を吸い込んで室内に供給したりする。ケーシング１の内部には、熱交換素子８を中心として長手方向及び幅方向に遮断板１８，１９がそれぞれ配置されて流路を形成し、これによって、ケーシング内部で室外空気と室内空気が相互に混合することが防止される。
【００２４】
これら流入口３，４、排出口２，５及び遮断板１８，１９によって、ケーシング１には４つの基本的な流路が形成される。すなわち、室外空気流入口３を通過して熱交換素子８に至るまでの室外空気流入流路(Ａ)、熱交換素子８から吸気ファン６を通過して室外空気排出口５に至るまでの室外空気排出流路(Ｂ)、室内空気流入口４を通過して熱交換素子８に至るまでの室内空気流入流路(Ｃ)、熱交換素子８から排気ファン７を通過して室内空気排出口２に至るまでの流路(Ｄ)が形成される。この他にも、迂回流路１６と仕切り板９により空気の流れが変わるが、これは後述する。
【００２５】
熱交換素子８は、六方体形状を有し、空気が両方向に通過しやすくなるようにケーシング１の略中心部に所定の角度をもって設けられる。また、熱交換素子８の内部は層状構造となっているため、いずれか一方向に空気が通過する際に、他の方向には空気が通過することができない。また、熱交換素子８の層状構造は、相互に異なる方向に通過する室外空気と室内空気の湿気と熱を吸収し交換させる役割を担う。
【００２６】
ケーシング１の内部には、熱交換素子８を介在して吸気ファン６と排気ファン７が配置され、これら吸気ファン６と排気ファン７との間には遮断板１９ａが配置される。吸気ファン６は、室外空気流入口３から室外空気を吸い込んで室外空気排出口５を通して室内に供給する役割を担い、排気ファン７は、室内空気流入口４から汚染した室内空気を吸い込んで室内空気排出口２を通して排出する役割を担う。
【００２７】
熱交換素子８と排気ファン７との間には除湿ローター１０が備えられ、室外空気流入口３から室内に流入する室外空気の湿気を除去する。この除湿ローター１０は、継続使用のために、再生部と吸着部とに画設される。つまり、本発明に適用される除湿ローター１０は、ディスク形状の回転可能な構造を有し、その一面にはモーターが取り付けられ、かつ、円形断面の３／４に該当する部分は吸着部として室外空気流入口３の側に備えられ、残る１／４部分は再生部として室内空気排出口２の側に備えられる。
【００２８】
このため、室外空気流入口３と室内空気排出口２との間の遮断板１８ｂは、中央の部分が四分円の両半径線と一致するように、室外空気流入口３に向いて“V”形状に突出形成される。一方、除湿ローターの再生部１０ｂに面する箇所には再生ヒーター１１が取り付けられ、この再生ヒーター１１は、除湿ローター１０が除湿過程中に吸収した水分を蒸発させることによって、除湿ローター１０の継続的な使用を可能にする。場合によっては、排気ファン７と熱交換素子８との間に備えられる、除湿ローター１０の取り付けられた仕切り板９は、空気が通る除湿ローター１０の面積をより大きくするように、所定の角度を有してもいい。
【００２９】
仕切り板９には、遮断板１８ｂを基準にしてダンパー１４，１５がそれぞれ配設され、これによって、空気が選択的に流入または流出される。また、室外空気流入口３と室内空気排出口２のそれぞれに接するケーシング１の内部側にもダンパー１３，１２がそれぞれ備えられ、これによって、流路の選択的開閉が可能になる。
【００３０】
ケーシング１内の一側には迂回流路１６が備えられるが、室内空気流入口４と連通する一端部にはダンパー１７が備えられるため、室内空気流入口４から流入する室内空気の方向、つまり、迂回流路１６を通過するか否かを選択することができる。一方、ダンパーの設けられていない迂回流路１６の他端部は、室外空気流入口３近傍の流路と連通する。
【００３１】
図２は、除湿換気モードを遂行している本発明による換気装置を示す断面図である。
【００３２】
本発明による換気装置は、迂回流路１６と複数個のダンパー１２，１３，１４，１５，１７を備えるため、換気及び除湿を同時に遂行する一般的な除湿換気モードの他にも、室内の空気のみを除湿する独立除湿モード、及び除湿は遂行せずに換気だけを遂行する除湿のない換気モードを実現することができる。なかでも、図２では、除湿と換気を同時に遂行する除湿換気モードについて説明する。
【００３３】
除湿換気モードは、室内空気流入口４から汚れた室内空気を吸い込み、これを熱交換素子８を経て室外に排出し、新鮮な室外の空気を、熱交換素子８と除湿ローター１０を経て除湿し室内に供給する一般的な換気装置のモードである。この除湿換気モードにおける換気装置内の空気の流れを各装置と関連して説明すると、下記の通りである。
【００３４】
まず、吸気ファン６と排気ファン７が定格で作動すると、室外空気流入口３のダンパー１３と、室内空気排出口２のダンパー１２が開き、これによって、室外空気は、室外空気流入口３から仕切り板９に装着されている除湿ローター１０の吸着部１０ａを通りつつ除湿される。続いて、除湿ローター１０を通過した室外空気は、熱交換素子８を通過しつつ熱を吸収し湿気を放出した状態で室内に供給される。すなわち、除湿ローター１０を通過した室外空気は、室内空気が通過しつつ熱交換素子８に伝達した熱を吸収する一方で、残っている湿気を熱交換素子８に奪われつつ、吸気ファン６を介して室内に吐出される。
【００３５】
一方、室内空気は、室内空気流入口４から換気装置の内部に流入する。この除湿換気モードでは迂回流路１６が使用されないため、ダンパー１７は閉じたままとなる。したがって、流入した室内空気は、熱交換素子８を通過しつつ熱は放出し、湿気は吸収した状態で、除湿ローター１０の再生部１０ｂを通る。
【００３６】
ここで、仕切り板９には、除湿ローター１０の他にも、空気の流れを制御するように二つのダンパー１４，１５が設けられる。このダンパー１４，１５は、遮断板１８ｂを中心として相互に異なる流路に配置される。室内空気を室外に吐出す場合に、除湿ローター１０の再生部１０ｂ側に設けられたダンパー１４は、再生部１０ｂを通る空気の流量を設計流量に合わせるべく、完全または一部が開く。除湿ローター１０の再生部１０ｂを通過しつつ室内空気は、再生部１０ｂに吸収されている湿気を奪った状態で排気ファン７を介して室内空気排出口２から外部へ吐出される。
【００３７】
図３は、独立除湿モードを遂行している本発明による換気装置を示す断面図である。
【００３８】
上にも述べたように、独立除湿モードは、室内空気だけを除湿するモードであり、大部分の空気は、迂回流路１６を通過して除湿ローター１０で除湿された後に、室内に再流入し、残る一部の空気は外部へ排出される。次に、この独立除湿モードを遂行する場合の換気装置における空気の流れを、各装置と関連して説明する。
【００３９】
独立除湿モードにおいて、吸気ファン６は、定格またはそれ以上の回転数で作動し、排気ファン７は、除湿換気モードよりも小さい回転数(rpm)で回転し、これによって、室内空気は、室内空気流入口４から換気装置の内部に流入する。このときに、迂回流路１６と連通するダンパー１７は開く一方で、室外空気流入口３はダンパー１３によって閉じる。このように、吸気ファン６が作動し、ダンパー１３は閉じているため、ケーシング１の室外空気流入口３側には負圧が形成される。
【００４０】
このような負圧の発生によって、室内空気流入口４を通過した室内空気は、ダンパー１７を経て迂回流路１６に流れる。上述したように、迂回流路１６の一端は、ダンパー１７を介して室内空気流入口４と連通可能になっており、他端は、仕切り板９と室外空気流入口３との間の箇所と連通するようになっているため、室内空気は、ケーシング１内の仕切り板９と室外空気流入口３との間の箇所に流入し、除湿ローター１０の吸着部１０ａを通過しつつ大部分の湿気が除去される。除湿ローター１０を通過した室内空気は、熱交換素子８を経て吸気ファン６を介して室内へ再び供給される。
【００４１】
一方、室内空気排出口２が開いており、排気ファン７が小さい回転数で作動しているため、室内空気流入口４からダンパー１７を通して迂回流路１６に流入しなかった残りの室内空気は、熱交換素子８を経て室内空気排出口２側に流れるようになる。このときに、除湿ローター１０の再生部側のダンパー１４は閉じているため、室内空気排出口２側に流れる空気は全て、除湿ローター１０の再生部１０ｂを経て室内空気排出口２から外部に排出される。
【００４２】
ここで、除湿ローター１０の再生部１０ｂを通過する空気の流量は、室内に再流入する空気の流量に比べて少ないため、換気と独立して除湿を遂行することが可能になる。このときに、除湿ローター１０の再生部１０ｂに流入する一部の室内空気は、熱交換素子８を通りつつ予熱されるが、これは、迂回流路１６を通って除湿ローター１０の吸着部１０ａで除湿されて温度の上昇した室内空気が、熱交換素子８と交換した熱を吸収するからである。
【００４３】
また、迂回流路１６を通って室内に再流入される空気は、室内空気排出口２から排出される、除湿されなかった室内空気と熱交換素子８で熱交換され冷却された状態で室内に流入されるため、従来の排気型換気装置に比べて冷房負荷が減少することになる。
【００４４】
この独立除湿モードは、換気をしながらも室内の絶対的な湿度量を下げる効果があるため、高温多湿な梅雨のときや乾かすべき洗濯物が室内にある場合など、室内の湿度湿気が高い場合に、より有効に換気及び除湿を遂行する利点がある。
【００４５】
図４は、除湿のない換気モードを遂行している本発明による換気装置を示す断面図である。
【００４６】
除湿のない換気モードは、除湿機能は要らなく、むしろ換気量だけを増加させたい場合に使用するモードであって、除湿ローター１０を通過する必要がないため、圧力損失が減り、風量が増加する効果が得られる。
【００４７】
除湿のない換気モードは、除湿ローター１０の吸着部１０ａ側に設けられたダンパー１５が開く以外は、除湿換気モードと同一の流路構造を有する。このモードでは、除湿ローター１０と再生ヒーター５に印加される電源を遮断するため、除湿ローター１０は回転せず、よって、除湿は遂行されない。
【００４８】
この除湿のない換気モードにおいても、流入する室外空気が、除湿ローター１０を通りつつ相当なる圧力損失を招き、余分の吸気ファン６の動力消費につながる問題や、除湿ローター１０の抵抗による騒音増加の問題が生ずるが、これは、ダンパー１５を開くことによって解消可能である。また、同じ効果を得るために、除湿ローター１０の再生部１０ｂ側に設けられたダンパー１４も完全に開く。また、吸着部１０ａ側のダンパー１５の開きによって得られる効果が不必要な場合には、このダンパー１５を他の部材や流路構造に変更することなく除去してもいい。
【００４９】
図５は、図１のＸ−Ｘに沿った断面図である。
【００５０】
図５は、仕切り板９に除湿ローター１０が取り付けられた様子を示すものであって、除湿ローター１０の再生部１０ｂ側にダンパー１４が設けられ、吸着部１０ａ側にダンパー１５が設けられている。ここで、除湿ローター１０は、断面の１／４は再生部１０ｂとして使用され、残りの３／４は吸着部１０ａとして使用されている。
【００５１】
また、遮断板１８ｂは、除湿ローター１０の再生部１０ｂを境界付ける２つの半径線に沿って“V”形状をもって室外空気流入流路の方に突出して設けられる。
【図面の簡単な説明】
【００５２】
【図１】本発明による換気装置を示す斜視図である。
【図２】除湿換気モードを遂行している本発明による換気装置を示す断面図である。
【図３】独立除湿モードを遂行している本発明による換気装置を示す断面図である。
【図４】除湿のない換気モードを遂行している本発明による換気装置を示す断面図である。
【図５】図１のX−X線に沿った断面図である。
【符号の説明】
【００５３】
１    ケーシング
２    室内空気排出口
３    室外空気流入口
４    室内空気流入口
５    室外空気排出口
６    吸気ファン
７    排気ファン
８    熱交換素子
９    仕切り板
１０  除湿ローター
１１  再生ヒーター
１２、１３、１４、１５、１７  ダンパー
１６  迂回流路
１８、１９  遮断板
【図１】
2006112769.tif 000003
【図２】
2006112769.tif 000004
【図３】
2006112769.tif 000005
【図４】
2006112769.tif 000006
【図５】
2006112769.tif 000007
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
室内と室外とをつなぐように設置されたケーシングと；該ケーシング内部に設置され、室内の空気を室外に排出するように形成された排気流路と；室外の空気を室内に吸入するように形成された吸気流路と；前記吸気流路と排気流路上に共通して設置される除湿ローターと；を備えた換気装置であって、
前記排気流路の室内側と前記吸気流路の室外側とを連通し、前記除湿ローターを迂回する迂回流路が形成されることを特徴とする換気装置。
【請求項２】
前記迂回流路は、該迂回流路を選択的に開閉できるようにダンパーを備えることを特徴とする請求項１に記載の換気装置。
【請求項３】
前記吸気流路及び排気流路上に設置されて通路を遮断する仕切り板をさらに備え、前記除湿ローターは、前記仕切り板上に設置されることを特徴とする請求項２に記載の換気装置。
【請求項４】
前記除湿ローターは、吸着部と再生部とからなり、前記吸着部は前記吸気流路上に配され、前記再生部は前記排気流路上に配されることを特徴とする請求項３に記載の換気装置。
【請求項５】
前記換気装置が除湿モードにおいて運転しようとするときには、前記排気流路上の迂回流路を開き、該排気流路のうち一部は、除湿ローターを迂回して吸気流路を経て除湿ローターの吸着部を通過して室内に吸入されるようにし、排気流路のうち一部は、除湿ローターの再生部を経て室外に排出されるようにすることを特徴とする請求項４に記載の換気装置。
【請求項６】
前記仕切り板は、前記吸気流路及び排気流路上にそれぞれダンパーをさらに備えることを特徴とする請求項３に記載の換気装置。
【請求項７】
前記換気装置が換気モードにおいて運転しようとするときには、前記仕切り板の吸気流路及び排気流路上のダンパーを開き、該開いたダンパーから吸気及び排気が行なわれるようにすることを特徴とする請求項６に記載の換気装置。
【請求項８】
前記換気装置が換気及び除湿モードにおいて運転しようとするときには、前記仕切り板の吸気流路上のダンパーは閉じて除湿ローターの吸着部を通過して吸気されるようにし、前記排気流路上のダンパーは一部開き、排気流路の一部は除湿ローターの再生部を通過し、一部はダンパーを通過して室外に排出されることを特徴とする請求項６に記載の換気装置。
【請求項９】
室内と室外とをつなぐように設置されたケーシングと；前記ケーシング内部に設置され、室内の空気を室外に排出するように形成された排気流路と；室外の空気を室内に吸入するように形成された吸気流路と；前記吸気流路と排気流路上に共通して設置される除湿ローターと；を備える換気装置であって、
前記吸気流路及び排気流路上に設置されて通路を遮断する仕切り板をさらに備え、前記除湿ローターは前記仕切り板上に設置されることを特徴とする換気装置。
【請求項１０】
前記除湿ローターは、吸着部と再生部とからなり、前記吸着部は、前記吸気流路上に配され、前記再生部は前記排気流路上に配されることを特徴とする請求項９に記載の換気装置。
【請求項１１】
前記仕切り板は、前記吸気流路及び排気流路上にそれぞれダンパーをさらに備えることを特徴とする請求項１０に記載の換気装置。
【請求項１２】
前記換気装置が換気モードにおいて運転しようとするときには、前記仕切り板の吸気流路及び排気流路上のダンパーを開き、該開いたダンパーから吸気及び排気が行なわれるようにすることを特徴とする請求項１１に記載の換気装置。
【請求項１３】
前記換気装置が換気及び除湿モードにおいて運転しようとするときには、前記仕切り板の吸気流路上のダンパーは閉じて前記除湿ローターの吸着部を通過して吸気されるようにし、前記排気流路上のダンパーは一部開き、排気流路の一部は前記除湿ローターの再生部を通過し、一部はダンパーを通過して室外に排出されることを特徴とする請求項１１に記載の換気装置。
【手続補正２】
【補正対象書類名】図面
【補正対象項目名】図２
【補正方法】変更
【補正の内容】
【図２】
2006112769.tif 000008
【手続補正３】
【補正対象書類名】図面
【補正対象項目名】図４
【補正方法】変更
【補正の内容】
【図４】
2006112769.tif 000009